(57)【要約】【課題】本体に対して電池を挿抜可能な構成の撮像装置に於いて、電池の位置が本体に対して奥まっており、電池を取り出す際につまみにくいものがあった。【解決手段】本体部と本体部に対して移動可能な可動部と、本体部に対してスライド移動可能な蓋部を備え、可動部と蓋部は互いに対向する突起部を持ち、蓋部がスライドすると蓋部の突起部が可動部の突起部に干渉し、可動部の位置を動かすことで電池をつまむスペースを生み出し、電池をつかみやすくする。【選択図】  図１ａ
2018073489.tif 000002
【特許請求の範囲】
【請求項１】
本体部と
本体部に対して移動可能な可動部と、
本体部に対して第一の位置と第二の位置の少なくとも二つの位置にスライド移動可能な蓋部を備え、
前記可動部と前記蓋部には互いに対向する突起部を持ち、
前記蓋部が第一の位置から第二の位置にスライド移動することにより、前記蓋部の突起部が前記可動部の突起部に接触し、持ち上げることにより、前記可動部の位置を移動させることを特徴とする電子機器。
【請求項２】
前記蓋部は前記本体内に収納した電池を出し入れする開口部の蓋であることを特徴とする請求項１に記載の電子機器。
【請求項３】
前記可動部は表示部であることを特徴とする請求項１または２に記載の電子機器。
【請求項４】
前記蓋部の突起部がスライド移動する範囲の本体部は切り欠かれていることを特徴とする請求項１乃至３のいずれか１項に記載の電子機器。
【発明の詳細な説明】
【技術分野】
【０００１】
本発明は、電子機器の蓋開閉機構に関するものである
【背景技術】
【０００２】
近年、ビデオカメラ等の撮像装置では、撮影データをＳＤカード等のメモリカードに記録するものが多くなっており、これらの電子機器では筐体に電池収納部や交換可能なメモリカード収納部を構成し、この収納部内に電源用の電池やメモリカードを着脱可能に内蔵しているものが普及している。そうした電池やメモリカードをゴミなどから守る為に収納部に蓋を設け、蓋を開閉することで電池、メモリカードの挿抜をすることができる電子機器が増えている。
【０００３】
しかしながら、本体の小型を進めた場合、収納物、例えば電池を取り出す時に掴みにくく、電池の挿抜がやりにくい電子機器が多数存在して来ている。特許文献１では電池を取り外す時に掴みやすくするために電池蓋を開けた時に電池を押し上げる機構を付けることで電池の挿抜を容易にしている。
【先行技術文献】
【特許文献】
【０００４】
【特許文献１】特開２００７−２５７９１６号公報
【発明の概要】
【発明が解決しようとする課題】
【０００５】
しかしながら、上述の先行例では収納物の長辺に合わせた排出の開口を持つ場合のみに有効である。多くのデジタルカメラ等の電子機器では小型化を図るために収納部の蓋を小さくし収納部の短辺に合わせた開口を持つものが一般的であり、収納物短辺に合わせた排出の開口に対しても収納物を取り出しやすくすることが望まれていた。
【課題を解決するための手段】
【０００６】
本体部と本体部に対して移動可能な可動部と、本体部に対して第一の位置と第二の位置の少なくとも二つの位置にスライド移動可能な蓋部を備え、前記可動部と前記蓋部には互いに対向する突起部を持ち、前記蓋部が第一の位置から第二の位置にスライド移動することにより、前記蓋部の突起部が前記可動部の突起部に接触し、持ち上げることにより、前記可動部の位置を移動させることを特徴とする。
【発明の効果】
【０００７】
本発明によれば、可動部を持った電子機器に於いて、スライド蓋を開くことにより可動部を移動させ、収納物を掴むスペースをより広くすることで小さな開口に対しても収納物の挿抜をしやすくする効果がある。
【図面の簡単な説明】
【０００８】
【図１ａ】実施例１に係わるビデオカメラの主に前面構成を示す左側のカバーを開いた斜視図。
【図１ｂ】実施例１に係わるビデオカメラの主に背面構成を示す右側のカバーを開いた斜視図。
【図２ａ】パネルユニットを開いた状態の背面構成を示す斜視図。
【図２ｂ】パネルユニットを開いた状態の前面構成を示す斜視図。
【図２ｃ】パネルユニットを開いた状態の左側面構成を示す側面図。
【図２ｄ】パネルユニットを対面側へ向けた前面構成を示す側面図。
【図２ｅ】図２ｄの背面構成を示す斜視図。
【図３】実施例１に係わるビデオカメラを分解した斜視図。
【図４】実施例１に係わるビデオカメラにおけるシステムブロック図。
【図５ａ】底面カバーの天面構成を示す斜視図。
【図５ｂ】図５ａのＡに示す回転軸周辺を拡大した図。
【図６】電池蓋の天面構成を示す斜視図。
【図７ａ】電池ボックスユニットの前面構成を示す斜視図。
【図７ｂ】電池ボックスユニットの側面構成を示す側面図。
【図８ａ】電池ボックスユニットに底面カバーユニットを取り付けた斜視図。
【図８ｂ】図８ａの状態より、電池蓋を矢印ａ方向へ移動させた状態の図。
【図８ｃ】図８ｂの状態より、電池蓋を矢印ｂ方向へ回転させた開状態の図。
【図９ａ】実施例１に係わるビデオカメラの斜視図。
【図９ｂ】図９ａに示すＢ−Ｂ’の断面図。
【図９ｃ】図９ｂに示すＣ部の拡大図。
【図９ｄ】図９ａの状態より電池蓋１０９を矢印ａ方向へと移動させた斜視図。
【図９ｅ】図９ｄに示すＢ−Ｂ’の断面図。
【図９ｆ】図９ｅに示すＤ部の拡大図。
【図９ｇ】電池蓋開状態で電池が排出位置にある斜視図。
【図９ｈ】図９ｇに示すＢ−Ｂ’の断面図。
【図９ｉ】図９ｈに示すＥ部の拡大図。
【発明を実施するための形態】
【０００９】
［実施例１］
以下、図１（ａ）〜図１（ｂ）を参照して本発明の第一の実施形態の全体構成について説明する。
【００１０】
図１（ａ）は本発明でビデオカメラに適用した場合の外観構成の主に前面構成を示す斜視図であり左側のカバーを開いた図、図１（ｂ）は、主に背面構成を示す斜視図で右側のカバーを開いた図である。尚、本実施形態での説明において、図１における矢印にて示す方向を、各々Ｘ方向・Ｙ方向・Ｚ方向と定める。また、本実施形態における撮像装置において、レンズ（バリア）側から見た面（図１Ｘ方向から見た面）を正面、正面と対向する面を背面、正面に対して右側から見た面を右側面、正面に対して左側から見た面を左側面、正面に対して上側から見た面を天面、正面に対して下側から見た面を底面、と各々称する。
【００１１】
カメラ本体１０１には、撮影レンズ１０２、音声を録音するためのマイク１０３、静止画撮影の開始を指示するためのレリーズ釦１０４、撮像画像を表示するパネルユニット１０５、ストラップを固定するためのストラップピン１０６が両サイドに備わり、ビデオカメラ本体１０１を起動する電源スイッチ１０７、記録した映像を再生するモードに入る再生釦１０８、本体１０１の後ろ側には電池を取り出す際に開閉する電池蓋１０９が設けられている。
【００１２】
カメラ本体１０１の右側面には右カバー１１０を備え、右カバー１１０を開くと記録媒体であるメモリカードを挿入することが可能なメモリーカードスロット１１０ａ、ＰＣ等の接続が可能であるＵＳＢコネクタを挿入可能なＵＳＢジャック１１０ｂが設けられている。カメラ本体１０１の左側面には左カバー１１１を備え、左カバー１１１を開くと電源供給可能なＤＣコネクタを挿入可能なＤＣジャック１１１ａ、撮影画像を外部に出力可能であるＨＤＭＩ（登録商標）コネクタを挿入可能であるＨＤＭＩ（登録商標）ジャック１１１ｂが設けられている。
【００１３】
次に図２（ａ）〜図２（ｅ）を用いてパネルユニット１０５の動作を説明する。図２（ａ）は第１回転軸１０５ａを中心にパネルユニット１０５を回転させて開いた状態であり、通常撮影姿勢を示す背面から見た斜視図、図２（ｂ）は図２（ａ）の状態の前面を示す斜視図、図２（ｃ）は図２（ａ）の状態の右側面を示す側面図である。図２（ｄ）は通常撮影姿勢より第２回転軸１０５ｂを中心にパネルユニット１０５を回転させた状態であり、対面撮り姿勢の斜視図である。図２（ｅ）は図２（ｄ）を背面側から見た斜視図である。
【００１４】
パネルユニット１０５は回転可能な２軸のヒンジ部を持ち、ヒンジの第１回転軸１０５ａが本体後方、第２回転軸１０５ｂが図２（ｃ）のパネルユニット１０５を立てた状態に於いて、その中心位置よりもやや上方側に配置されている。図１の状態から第１回転軸１０５ａを中心に回転するとパネルユニット１０５の表示面が後方へと移動し、図２（ａ）〜（ｃ）のように通常撮影姿勢を取ることができる。この時、パネルユニット１０５の一部が後方までせり出すことでヒンジ、本体の小型化に寄与している。
【００１５】
通常撮影姿勢より第２回転軸１０５ｂを中心にパネルユニット１０５を回転させると撮影方向と同一方向に表示部が向き、図２（ｄ）〜図２（ｅ）の対面撮り姿勢になる。対面撮り姿勢は主に自分撮りに使用する姿勢であり、被写体自身がパネルユニット１０５の表示部で画角などの撮影画像を確認しながら撮影を行うことができる。パネルユニット１０５の表示面の裏面には突起部１０５ｃを備え、後述する電池蓋１０９の突起部と接触し、移動させることでパネルユニット１０５を開き方向へと移動させる役割を持つ。
【００１６】
次に図３を用いて実施形態であるビデオカメラの構成を簡単に説明する。図３は第一の実施形態のビデオカメラを分解した斜視図であり、電源ＩＣなどの電気部品とＨＤＭＩ（登録商標）やＵＳＢなどの端子を備えているメイン基板１１２、レンズ１０２や図示しないセンサなどを保持し、前面部を構成する前面カバーユニット１１３、パネルユニット１０５が取り付けられており、上面部を構成する上面カバーユニット１１４、電池蓋１０９が取り付けられ、背面部及び底面部を構成する底面カバーユニット１１５、レリーズ釦１０４を備え右側面部を構成する右カバーユニット１１６、左側面部を構成する左カバーユニット１１７、電池が挿入され保持される電池ボックスユニット１１８によって構成されている。
【００１７】
図３を用いて第一の実施形態であるビデオカメラの組み方を簡単に説明する。まず、前面カバーユニット１１３に対してメイン基板１１２を取り付けた後、右カバーユニット１１６と左カバーユニット１１７をそれぞれにメイン基板１１２に対して組み込み、上面カバーユニット１１４をメイン基板１１２に取り付ける。次に電池ボックスユニット１１８をメイン基板１１２に対して組みつけ、最後に底面カバーユニット１１５を上面カバーユニット１１４に対して外形を合わせるように組みつけることで一体化する。
【００１８】
図４は、本撮像装置におけるシステムブロック図を表している。本図を用いて、本撮像装置の内部動作システムを簡単に説明する。図４において、本図左側に描かれた、撮影レンズ部１０２とセンサー８をまとめてレンズユニット部と称する。光学レンズ群を有する撮影レンズ部１０２に入射した光学情報は、センサー８において受光され、センサー８の光電変換機能によって、光学情報を電気情報（画像情報）へ変換する。
【００１９】
本図中央部に描かれた本体部は、メイン基板１１２を有する。メイン基板１１２の本体制御部１０は、画像・音声情報の入出力、圧縮・変換等の画像処理、記録・再生等の録再処理等に代表される情報処理を、メイン基板１１２に設けられたメモリ１００７と通信しながら行う。発光部１００１より発せられた光は、透明材料で形成された電源ＬＥＤ窓やアクセスＬＥＤ窓によって導光され、撮影者へ視認可能に、外観面へ導かれる。電源部１００２は電池や外部電源ケーブルを介して外部電源より電力を得ることが可能である。通常各部で必要な電圧変換は電源部１００２で行われる。
【００２０】
本体制御部１０の指示に従って電源部１００２からは各部で必要な電圧にそれぞれ変換され、必要なタイミングで供給される。外部接続端子部１００３は各外部接続端子部に外部接続ケーブルが接続されると、その接続を各接続端子が検知し、本体制御部１０へ検知信号を伝達する。本体制御部１０は、接続された外部接続ケーブルに応じて、画像情報の入出力等の制御を行う。画像の記録を行う場合は、本体制御部１０が、外部記憶装置部１００５へ画像情報を伝達し、外部記録メディア（マイクロＳＤカード等）へと撮影画像を記録させる。
【００２１】
操作部１００６に該当する要素として、例えばレリーズ釦１０４、再生釦１０８が該当する。各操作部が操作されると本体制御部１０へ操作情報を伝達する。本体制御部１０はこの操作情報を元に、画像記録や再生モードへのモード切り替えを行う。
【００２２】
図４において、本図右側に描かれたパネルユニット１０５はパネル基板部を有する。パネル基板部は本体制御部１０と電気的に接続され、本体制御部との間で情報の伝達が可能に構成される。例えば、レンズユニット部で撮影されている画像情報が本体制御部１０に電送され、本体制御部１０により画像処理された後、本体制御部１０がパネル基板部へその画像情報を電送する。パネル基板部は受けとった画像情報を画像処理した後、表示部２００へ電送しユーザーに向けて撮影画像を表示させる。
【００２３】
また、撮影者がタッチパネル部２０１より操作した操作情報は、パネル基板部へと伝達され、パネル基板部から本体制御部１０へと電送される。本体制御部１０は、この操作情報に応じて、各構成要素の制御を行う。
【００２４】
次に図５（ａ）、  図５（ｂ）  、図６を用いて底面カバー１１９、電池蓋１０９の詳細構成を説明する。図５（ａ）は底面カバー１１９の斜視図、図５（ｂ）は図５（ａ）のＡに示す回転軸１１９ａ周辺を拡大した拡大図、図６は電池蓋１０９の斜視図である。底面カバー１１９には電池蓋１０９を保持する回転軸１１９ａが設けられており、その周囲にはスライド溝１１９ｂと回転保持溝１１９ｃが設けられている。
【００２５】
電池蓋１０９には腕部１０９ａ、腕部１０９ａには長穴形状である軸穴部１０９ｂ、底面カバー１１９のスライド溝１１９ｂ、回転保持溝１１９ｃと勘合する姿勢保持凸部１０９ｃが設けられ、電池蓋１０９を開閉する際にクリック力を出すクリック当接部１０９ｄ、回転方向に蓋を開いた時に電池ボックスユニット１１８に突き当たるストッパー部１０９ｅ、電池ボックスユニット１１８に当接することで閉じ状態の姿勢を保持する爪部１０９ｆ、電池蓋がスライド移動する時にパネルユニット１０５の突起部１０５ｃと接触する電池蓋突起部１０９ｇによって構成される。
【００２６】
底面カバーユニット１１５は底面カバー１１９と電池蓋１０９によって構成されており、底面カバー１１９の回転軸１１９ａと電池蓋１０９の軸穴部１０９ｂが勘合することで電池蓋１０９は底面カバー１１９にスライド及び回転可能に支持されている。
【００２７】
次に図７（ａ）、図７（ｂ）を用いて電池ボックスユニット１１８の詳細な構成を説明する。図７（ａ）は電池ボックスユニット１１８の前面構成を示す斜視図であり、図７（ｂ）は、電池ボックスユニット１１８の側面構成を示す側面図である。
【００２８】
電池ボックスユニット１１８は電池を収納する電池ボックス１２０と電池を排出する図示しない排出バネ、ユニットの１つの面を構成する板金１２１、電池を保持する電池ロックレバー１２２、電池ロックレバー１２２を一定方向へ付勢する開閉バネ１２３、電池ロックレバー１２２と勘合し軸支するシャフト１２４で構成される。
【００２９】
また、電池ボックス１２０には電池蓋１０９を閉めた状態で電池蓋の爪部１０９ｆと当接する当て面１２０ａ、電池蓋１０９がスライド移動する時に電池蓋１０９をガイドするスライドレール１２０ｂを備え、板金１２１には電池蓋１０９を開閉する際にクリック力をだすクリック部１２１ａを備えている。
【００３０】
図８（ａ）、  図８（ｂ）、  図８（ｃ）を用いて底面カバーユニット１１５と電池ボックスユニット１１８が一体に組まれた状態での電池蓋１０９の開き動作について説明する。図８（ａ）は電池ボックスユニット１１８と底面カバーユニット１１５を組み付けた、電池蓋閉じ状態の斜視図である。図８（ｂ）は図８（ａ）の電池蓋閉じ状態より、矢印ａ方向へと電池蓋１０９をスライド移動させた状態の図である。図８（ｃ）は図８（ｂ）の状態より、電池蓋１０９を矢印ｂ方向へと回転させた電池蓋開状態の図である。
【００３１】
電池蓋１０９は閉じ状態の時、図８（ａ）のように爪部１０９ｆが電池ボックス１２０の当て面１２０ａと当接することでその姿勢を保持している。閉じ状態より、電池蓋１０９に矢印ａ方向へ力を加えると電池蓋１０９はクリック部１２１ａがクリック当接部１０９ｄの山形状を乗り上げることでクリック力を出しながらスライド移動する。電池蓋１０９は回転軸１１９ａと勘合している軸穴部１０９ｂの長穴の範囲内で移動することにより、スライド移動することが可能である。
【００３２】
スライド移動した後、底面カバー１１９に備えられた回転軸１１９ａを中心に矢印ｂ方向へと電池蓋１０９のストッパー部１０９ｅが電池ボックスに突き当たる回転移動端まで回転させることで電池蓋１０９は開き状態となり、電池の挿抜が可能となる。
【００３３】
図９（ａ）〜図９（ｉ）を用いて一体に組まれた状態での電池蓋１０９のスライド動作に伴うパネルユニット１０５の移動について説明する。図９（ａ）は一体化状態に組まれた本体の斜視図、図９（ｂ）は図９（ａ）に示すＢ−Ｂ’の断面図、図９（ｃ）は図９（ｂ）に示すＣ部の拡大図，図９（ｄ）は図９（ａ）の状態より電池蓋１０９を矢印ａ方向へと移動させた斜視図、図９（ｅ）は図９（ｄ）に示すＢ−Ｂ’の断面図、図９（ｆ）は図９（ｅ）に示すＤ部の拡大図、図９（ｇ）は図９（ａ）の状態より、電池蓋１０９を矢印ｂ方向へと回転させた開状態で電池が排出位置にある斜視図である。
【００３４】
図９（ｈ）は図９（ｇ）  に示すＢ−Ｂ’の断面図、図９（ｉ）は図９（ｈ）に示すＥ部の拡大図である。まず、通常撮影状態である図９（ａ）の状態時には、電池蓋１０９は図９（ａ）の様に本体に対して閉じ状態でその位置が保持される。この時、電池蓋の上方に設けられた電池蓋突起部１０９ｇはパネルユニット１０５の裏面に設けられた突起部１０５ｃと互いに噛み合うように配置される。次に電池を取り出すために電池蓋１０９に矢印ａ方向へ力を加えると、電池蓋１０９が矢印ａ方向へスライド移動を行う。
【００３５】
すると電池蓋１０９に備えられた電池蓋突起部１０９ｇが矢印ａ方向へスライド移動をし、パネルユニット１０５に備えられた突起部１０５ｃに接触する。パネルユニット１０５は回転軸を中心に開くことが可能なため、直進移動をしようとする電池蓋突起部１０９ｇにパネルユニット１０５は図９（ｄ）の様に矢印ｃ方向へ押し上げられる。前述した様に電池蓋１０９は矢印ａ方向へスライド移動した後、矢印ｂ方向へ回転移動を行い電池蓋開状態になる。
【００３６】
図９（ｆ）の様に電池蓋１０９を開状態にした後、電池ロックレバー１２２を電池ロック解除位置に移動させることで電池が排出バネに押し上げられ、排出可能になる。この時、パネルユニット１０５が矢印ｃ方向へ押し上げられたことで図９（ｈ）の様に電池を取り出す時に指を入れるスペース１２５が確保されることで、電池を掴みやすくなる効果を得られる。
【００３７】
以上の構成にすることにより、電池蓋１０９を開き、パネルユニット１０５を移動させることで電池を掴みやすくなるスペースを生み出し、電池の挿抜を行いやすくする。上記実施の形態では、本発明の好ましい実施形態について説明したが、本発明は上記実施形態に限定されるものではなく、本発明の要旨の範囲内で種々の変形及び変更が可能である。
【符号の説明】
【００３８】
１０１    …  カメラ本体
１０２    …  撮影レンズ
１０３    …  マイク
１０４    …  レリーズ釦
１０５    …  パネルユニット
１０５ａ  …  第一回転軸
１０５ｂ  …  第二回転軸
１０５ｃ  …  突起部
１０６    …  ストラップピン
１０７    …  電源スイッチ
１０８    …  再生釦
１０９    …  電池蓋
１０９ａ  …  腕部
１０９ｂ  …  軸穴部
１０９ｃ  …  姿勢保持凸部
１０９ｄ  …  クリック当接部
１０９ｅ  …  ストッパー部
１０９ｆ  …  爪部
１０９ｇ  …  電池蓋突起部
１１０    …  左カバー
１１０ａ  …  メモリーカードスロット
１１０ｂ  …  ＵＳＢジャック
１１１    …  右カバー
１１１ａ  …  ＤＣジャック
１１１ｂ  …  ＨＤＭＩ（登録商標）ジャック
１１２    …  メイン基板
１１３    …  前面カバーユニット
１１４    …  上面カバーユニット
１１５    …  底面カバーユニット
１１６    …  左カバーユニット
１１７    …  右カバーユニット
１１８    …  電池ボックスユニット
１１９    …  底面カバー
１１９ａ  …  回転軸
１１９ｂ  …  スライド溝
１１９ｃ  …  回転保持溝
１２０    …  電池ボックス
１２０ａ  …  当て面スライドレール
１２０ｂ  …  スライドレール
１２１    …  板金
１２１    …  クリック部
１２２    …  電池ロックレバー
１２３    …  開閉バネ
１２４    …  シャフト
１２５    …  スペース
【図１ａ】
2018073489.tif 000003
【図１ｂ】
2018073489.tif 000004
【図２ａ】
2018073489.tif 000005
【図２ｂ】
2018073489.tif 000006
【図２ｃ】
2018073489.tif 000007
【図２ｄ】
2018073489.tif 000008
【図２ｅ】
2018073489.tif 000009
【図３】
2018073489.tif 000010
【図４】
2018073489.tif 000011
【図５ａ】
2018073489.tif 000012
【図５ｂ】
2018073489.tif 000013
【図６】
2018073489.tif 000014
【図７ａ】
2018073489.tif 000015
【図７ｂ】
2018073489.tif 000016
【図８ａ】
2018073489.tif 000017
【図８ｂ】
2018073489.tif 000018
【図８ｃ】
2018073489.tif 000019
【図９ａ】
2018073489.tif 000020
【図９ｂ】
2018073489.tif 000021
【図９ｃ】
2018073489.tif 000022
【図９ｄ】
2018073489.tif 000023
【図９ｅ】
2018073489.tif 000024
【図９ｆ】
2018073489.tif 000025
【図９ｇ】
2018073489.tif 000026
【図９ｈ】
2018073489.tif 000027
【図９ｉ】
2018073489.tif 000028